(57)【要約】      （修正有）【課題】太陽電池などの再生可能なエネルギー源から２次電池充電方法に関するものであり、最大電力点から充電する充電制御方法に関するものである。【解決手段】太陽電池の電圧出力と出力電流変換電圧から太陽電池の発電電力特性曲線と相似の特性曲線を写像的に合成しかつ出力電圧曲線と出力電流変換電圧曲線の写像曲線の交点と前記発電電力特性曲線の頂点を一致させてＤＣＤＣ変換器に帰還することにより時間軸を消去して、常時最大電力動作点を直流帰還制御する方法及びそれを用いた充電装置を実現する。【選択図】図６
2011100348.tif 000002
【特許請求の範囲】
【請求項１】
（ａ）再生可能エネルギー源が接続される入力端子（Ｖｂ，Ｖｇ）と、（ｂ）前記入力端子からのＤＣ電圧を別のＤＣ電圧に変換するＤＣＤＣ変換器（Ｕ５）と、（ｃ）前記再生可能エネルギー源とＤＣＤＣ変換器（Ｕ５）の出力電流を合成してＤＣＤＣ変換器に電圧電流合成信号ＦＢｖｉを供給する電圧電流合成器（Ｕ６１）と、（ｄ）前記ＤＣＤＣ変換器に基準電圧を供給する基準電圧調整器（Ｕ６２）と、（e）前記電圧電流合成器（Ｕ６１）に出力電流変換電圧信号を供給する電流電圧変換器（Ｕ４）とを有し、
前記電圧電流合成器（Ｕ６１）は前記再生可能エネルギー源の出力電圧（Ｖｂ）を分圧して分圧電圧（ＦＢｖ）を出力する第１分圧器（Ｕ８１）と電流電圧変換器（Ｕ４）の出力電圧（Ｖｉｏ）を分圧して分圧電圧（ＦＢｉ）を出力する第２分圧器（Ｕ８２）と前記第１分圧器出力（ＦＢｖ）と前記第２分圧器出力（ＦＢｉ）を合成して合成電圧（ＦＢｖｉ）を出力する電圧合成器（Ｕ８３）と出力電圧（Ｖｉｏ）を分圧して分圧電圧（ＦＢｊ）を出力する第３分圧器（Ｕ８４）からなり、前記再生可能エネルギー源の出力電力特性曲線（７１）と前記合成電圧（ＦＢｖｉ）の特性曲線電圧（７３）が相似でかつ頂点の位置が同一であり、前記分圧電圧（ＦＢｖ）と前記分圧電圧（ＦＢｊ）が前記特性曲線電圧（７３）の頂点と同一位置で交差（７９）していて、該分圧電圧（ＦＢｖ）と該分圧電圧（ＦＢｊ）は前記基準電圧調整器（Ｕ６２）に供給され、該分圧電圧（ＦＢｖ）が該分圧電圧（ＦＢｊ）よりも大きいときは基準電圧（ＶＲＥＦ）を低下させ、該分圧電圧（ＦＢｖ）が該分圧電圧（ＦＢｊ）と等しいか一定の差以下の時は基準電圧ＶＲＥＦを一定に保持し、該分圧電圧（ＦＢｖ）が該分圧電圧（ＦＢｊ）よりも小さい時は基準電圧（ＶＲＥＦ）を上昇させて、該基準電圧（ＶＲＥＦ）と該前記合成特性曲線電圧（７３）を帰還信号としてＤＣＤＣ変換器（Ｕ５）に供給し、該ＤＣＤＣ変換器（Ｕ５）常時直流的に制御して太陽電池出力を最大動作点で動作させる方法。
【請求項２】
請求項１における再生可能なエネルギー源（Ｕ２）が太陽電池、燃料電池、風力発電機、波力発電機のいずれかであり、ＤＣＤＣ変換器（Ｕ５）が昇圧型スイッチング変換器か降圧型スイッチング変換器か直列レギュレータのいずれかであり、電圧電流合成器（Ｕ６１）と基準電圧調整器（Ｕ６２）とから構成され、請求項１における最大動作点で動作させる方法で制御されることに特徴を有した充電装置。
【発明の詳細な説明】
【技術分野】
【０００１】
本発明は、２次電池充電装置に関するものであり、特に太陽電池や燃料電池から２次電池を最大電力点で充電する充電装置に関するものである。ＤＣＤＣ変換器の種類によらず適用可能な最大電力動作点を実現する制御方法及び充電装置に関するものである。
【背景技術】
【０００２】
太陽電池が発生するエネルギーは最大電力を出力する最大電力点を有することが知られている。この最大電力点は温度、照射光量で変動するが太陽電池から電力を取り出すときにこの最大動作点で動作させると決められた条件下で最大の電力を得ることができる。
【０００３】
太陽電池はＣＯ２を排出しないエネルギー源として広く利用されているが、携帯機器（例えば携帯電話や携帯パソコン）にはその出力エネルギーを効率よく充電する技術がコスト増加になりまた充電のために消費電流が増加するので携帯機器には広く利用されるにはいたっていない。
【０００４】
ちなみに２０億台の携帯電話と２０億台のノートＰＣが稼動しているとすると１０００万ＫＷの電力が消費されている計算になり、これは火力発電所１０機の発電量に相当する大きな量である。
【０００５】
本発明はあらゆる電子装置に使われる充電器にＣＯ２を発生しないエネルギーから充電することで地球のエネルギー節減に貢献しようとするものである。
【０００６】
太陽電池のエネルギーを効率よく取り出す充電装置を改良するために、これまで、様々な提案がなされている。しかしながら、これらの提案は、複雑な時間軸制御回路を必要とし、あるいは消費電流を増加させることにより携帯機器には広く利用されるにいたっていない。
【０００７】
太陽電池から最大の発電電力を取り出す従来の方法は、制御プログラムもしくは制御回路により太陽電池の電圧と電流を変化させて出力電力を計測し増減により最大値に向かって近づけるよう制御する。アナログ的にもしくはデジタル的に電力を乗算で算出してその電力値が最大になるようにDCDC変換器の出力電圧と電流を制御する方法がとられていた。または太陽電池パネルの温度を計測して温度の関数として動作点を制御する方法が用いられていた。
【先行技術文献】
【特許文献】
【０００８】
【特許文献１】WO2005/045547  名称「太陽光発電装置」
【特許文献２】特開2002-272094  名称「最大電力動作点追尾方法及び装置」
【特許文献３】特開平8-4445  名称「太陽電池の最大電力点追尾制御方法及び装置」
【特許文献４】特開2007-201257  名称「太陽光発電システム」
【特許文献５】特開平7-72941  名称「太陽電池の最大電力動作点判定法」
【特許文献６】WO2005/045547  名称「太陽光発電装置」
【特許文献７】US2005/0099166  Title: CONVERTER CONTROL FOR AUTOMATICMAXIMUM POWER POINT TRACKING
【特許文献８】US2007/0137688  Title: PHOTOVOLTAIC POWER GENERATOR
【特許文献９】US2008/0084115Title: METHODS AND APPARATUSES FOR OPERATING DEVICES WITH SOLAR POWER
【特許文献１０】US2009/0078300  Title: DISTRIUTEDMAXIMUM POWER POINT TRACKING CONVERTER
【特許文献１１】US4794272 Title: POWER REGULATOR USING ONLY BATTERY CURRENTMONITORING
【特許文献１２】US5493204 Title: NEGATIVE IMPEADANCE PEAK POWERTRACKING
【特許文献１３】US6433522 Title: FAULT TRLERANT MAXIMUM POWER TRACKING SOLARPOWER SYSTEM
【発明の概要】
【発明が解決しようとする課題】
【０００９】
しかし従来の方法だと、制御のための回路が複雑で消費電流の増加は避けられず、携帯機器への応用は実現には大きな障害になっていた。電流と電圧をA／D変換後のデータには量子化誤差が含まれるために精度の問題があった。また従来の方法は負荷電流を変化させて電力増減を判定するので時間軸が制御系に含まれ離散的に計測することが必要であり時間的に連続した制御は不可能であった。
【００１０】
本発明が解決しようとする課題は、温度センサー無しに温度による特性変動と照度変化による特性変動を時間軸の無い直流で太陽電池の発電量が最大になるように動作点を正確に制御する方法を実現するものである。
【発明の開示】
【課題を解決するための手段】
【００１１】
上記課題を解決するため、本発明は太陽電池の出力電圧の分圧電圧と出力電流の変換電圧の分圧電圧から発電電力特性曲線と相似の特性曲線を新たな電圧電流合成器で写像できることを知見しそれを応用している。前記出力電圧の分圧電圧と前記圧出力電流変換電圧の分圧電圧とで時間軸制御が必要の無い直流帰還回路を構成して常時最大電力点に固定する方法を実現する。新たに考案された電圧電流合成器により時間軸を消すことができ、最大電力動作点制御から時間要素を省くことができた。
【００１２】
本発明の一形態によれば、（ａ）太陽電池電圧が接続される入力端子（Ｖｂ，Ｖｇ）と、（ｂ）前記入力端子からのＤＣ電圧を別のＤＣ電圧に変換するＤＣＤＣ変換器Ｕ５、（ｃ）前記太陽電池電圧とＤＣＤＣ変換器の出力電流を合成して前記ＤＣＤＣ変換器（Ｕ５）に電圧電流合成信号ＦＢｖｉを供給する電圧電流合成器（Ｕ６１）と、（ｄ）前記ＤＣＤＣ変換器に基準電圧を供給する基準電圧調整器（Ｕ６２）と、（e）前記電圧電流合成器（Ｕ６１）に出力電流変換電圧信号を供給する電流電圧変換器（Ｕ４）とを有し、
前記電圧電流合成器（Ｕ６１）は前記太陽電池電圧（Ｖｂ）を分圧して分圧電圧（ＦＢｖ）を出力する第１分圧器（Ｕ８１）と電流電圧変換器（Ｕ４）の出力電圧（Ｖｉｏ）を分圧して分圧電圧（ＦＢｉ）を出力する第２分圧器（Ｕ８２）と前記第１分圧器出力（ＦＢｖ）と前記第２分圧器出力（ＦＢｉ）を合成して合成電圧（ＦＢｖｉ）を出力する電圧合成器（Ｕ８３）と出力電圧（Ｖｉｏ）を分圧して分圧電圧（ＦＢｊ）を出力する第３分圧器（Ｕ８４）からなり、前記太陽電池の出力電力特性曲線（７１）と前記合成電圧（ＦＢｖｉ）の特性曲線電圧（７３）が相似でかつ頂点の位置がほぼ同一であり、前記分圧電圧（ＦＢｖ）と前記分圧電圧（ＦＢｊ）が前記特性曲線電圧（７３）の頂点とほぼ同一位置で交差（７９）していて、該分圧電圧（ＦＢｖ）と該分圧電圧（ＦＢｊ）は前記基準電圧調整器（Ｕ６２）に供給され、該分圧電圧（ＦＢｖ）が該分圧電圧（ＦＢｊ）よりも大きいときは基準電圧（ＶＲＥＦ）を低下させ、該分圧電圧（ＦＢｖ）が該分圧電圧（ＦＢｊ）と等しいか一定の差以下の時は基準電圧（ＶＲＥＦ）を一定に保持し、該分圧電圧（ＦＢｖ）が該分圧電圧（ＦＢｊ）よりも小さい時は基準電圧（ＶＲＥＦ）を上昇させ、該基準電圧（ＶＲＥＦ）と該前記合成特性曲線電圧（７３）を帰還信号としてＤＣＤＣ変換器（Ｕ５）に供給し、該ＤＣＤＣ変換器（Ｕ５）常時直流的に制御して太陽電池出力を最大動作点で動作させる方法である。
また、充電装置は、前記再生可能なエネルギー源（Ｕ２）が太陽電池、燃料電池、風力発電機、波力発電機のいずれかであり、ＤＣＤＣ変換器（Ｕ５）が昇圧型スイッチング変換器か降圧型スイッチング変換器か直列レギュレータのいずれかであり、電圧電流合成器（Ｕ６１）と基準電圧調整器（Ｕ６２）とから構成され、請求項１における最大動作点で動作させる方法で制御されることに特徴を有するものである。
【発明を実施するための最良の形態】
【００１３】
以下、図面を参照して、本発明を詳細に説明する。図面を通じて、同様な要素には同様な参照符号が付されている。
【００１４】
説明の便宜上、本発明の適用対象である従来の最大電力追尾方法と充電装置の具体例についてまず説明する。
【００１５】
図１は従来の充電装置の具体例を示す。従来例は入力電圧をそれよりも高いＤＣ出力電圧に昇圧するＤＣＤＣ変換器（Ｕ５）を利用している。
【００１６】
図１において、従来例に係る充電装置は入力端子Ｖｂ、Ｖｇを有する。
入力端子ＶｂとＶｇ間には、太陽電池からの電圧が印加される。図１の例では、入力端子Ｖｇは共通端子ないしグランド端子として、出力端子の１つを兼ねている。すなわち、充電装置は出力端子ＶｃｇとＶｇを備え、出力端子ＶｃｇとＶｇ間に充電される２次電池Ｕ１と負荷ＬＯＡＤが接続される。なお、負荷ＬＯＡＤは、充電装置の一部ではなく、充電装置を電源として使用する電子装置（たとえば携帯電話）を表している。このようにして、出力端子Ｖｃｇ、Ｖｇからの電圧（出力電圧）が２次電池Ｕ１と負荷ＬＯＡＤに印加される。
【００１７】
入力端子Ｖｂ、Ｖｇおよび出力端子Ｖｃｇ、Ｖｇに加え、従来例１の充電装置は、太陽電池U2, ＤＣＤＣ変換器Ｕ５、太陽電池電圧A／D変換器  U7、太陽電池電流A／D変換器  U８、太陽電池温度A／D変換器  U９、最大電力追尾制御器Ｕ１０、D／Ａ変換器Ｕ３、から構成される。
【００１８】
詳細には、最大電力追尾制御器Ｕ１０はマイクロコンピュータなどが利用され、A／D変換器Ｕ７を介し太陽電池出力電圧の情報が入力され、A／D変換器Ｕ８を介し太陽電池出力電流の情報が入力されA／D変換器Ｕ９を介し、温度センサーＵ６で検出された太陽電池パネルの温度情報が入力される。最大電力追尾制御器Ｕ１０はこれらの情報を元に太陽電池の出力電力が最大になる動作点を探してＤ／Ａ変換器U３を通じてＤＣＤＣ変換器Ｕ５の基準電圧（図示されない）を変更して出力電圧電流を調整する。
【００１９】
図２は、太陽電池の照射光量と温度が変化した場合の特性曲線を示す。
図中、２１と２２と２３は太陽電池のＶ−Ｉ特性、２４と２５と２６は２１と２２と２３に対応した出力電力曲線を示す。
【００２０】
２１，２４は晴天の太陽光での特性曲線、２２と２５は高温での特性曲線を示す。図より温度が上昇すると出力電圧が減少することが読み取れる。２３と２６は弱い光での特性曲線を示す。図より光量が減少すると出力電流が減少することが読み取れる。つまり出力電圧、出力電流には温度と照射光量の情報が含まれていることがわかる。
【００２１】
図２からもわかるように、照射光量と温度で発電電力が山型の曲線で変化し、最大値も変動する。したがって最大値に動作点を合わせるためには電力を演算して最大値を探す処理が必要であった。
【００２２】
電力最大値を探して動作点を制御するためにはデジタル処理する場合でも、アナログ処理する場合でも集積化の場合大きなチップ面積と消費電流の増大は避けられなかった。
【００２３】
本発明の第１の側面によれば、温度と照射光量で変化する太陽電池の最大電力を引き出す制御が提供される。これについて、図６−図１１を参照して説明する。
【００２４】
第1の実施形態（図６）
【００２５】
図６は本発明の第１の実施形態に係る充電装置を示したもので、太陽電池から充電する場合、AC電源から充電する場合と大きな違いは、太陽電池は出力電力に制限があることである。太陽電池能力以上に電力を引き出そうとしても自然に制限されてしまうが電力最大点で動作させれば、どのような条件下でも能力の最大値を引き出すことができる。特に携帯機器では太陽電池面積が限られるために太陽電池出力電力も十分といえないので、最大電力点で動作させる重要性がある。
【００２６】
図６において、本発明に係る充電装置は入力端子Ｖｂ、Ｖｇを有する。
入力端子ＶｂとＶｇ間には、太陽電池からの電圧が印加される。図の例では、入力端子Ｖｇは共通端子ないしグランド端子として、出力端子の１つを兼ねている。
【００２７】
すなわち、充電装置は出力端子ＶｃｇとＶｇを備え、出力端子ＶｃｇとＶｇ間に充電される２次電池Ｕ１と負荷ＬＯＡＤが接続される。なお、負荷ＬＯＡＤは、充電装置の一部ではなく、充電装置を電源として使用する電子装置（たとえば携帯電話）を表している。このようにして、出力端子Ｖｃｇ、Ｖｇからの電圧（出力電圧）が２次電池Ｕ１と負荷ＬＯＡＤに印加される。
【００２８】
入力端子Ｖｂ、Ｖｇおよび出力端子Ｖｃｇ、Ｖｇに加え、本発明の充電装置は、太陽電池Ｕ２，電流電圧変換器Ｕ４，ＤＣＤＣ変換器Ｕ５、電圧電流合成器Ｕ６１、基準電圧調整器Ｕ６２、から構成される。
【００２９】
図７は太陽電池Ｕ２と電圧電流合成器Ｕ６１の動作点シミュレーション結果を示す。横軸は太陽電池Ｕ２の出力電圧、曲線７１と７２は太陽電池が出力する電力曲線、曲線７３と７４は電圧電流合成器Ｕ１１の出力電圧ＦＢｖｉ、７５と７７は電圧電流合成器Ｕ１１の電流変換電圧分圧器出力ＦＢｊ、７６と７８は電圧電流合成器Ｕ１１の太陽電池電圧分圧器出力ＦＢｖをそれぞれ示す。
７１、７３、７５、７６は通常の照度と温度の場合、７２、７４、７７，７８は照度が減少しかつ温度が上昇したときの特性曲線をそれぞれ示す。
【００３０】
日照が十分な場合の発電電力曲線７１と合成曲線７２は相似であり交点７９と発電電力曲線７１と合成曲線７２の頂点がおおむね同一である。日照が不十分な場合の発電電力曲線７２と合成曲線７４は相似であり交点８０と発電電力曲線７２と合成曲線７４頂点がおおむね同一であり、日照が十分の場合の交点７９に比べて最大電力点同様に移動している。電流電圧合成器Ｕ１１は日照と温度変化による特性曲線の変化及び交点が相似に変化する。
本発明は帰還電圧ＦＢｖｉの山型形状と太陽電池の限界点を組み合わせて常に太陽電池の最大電力点で動作する充電装置を実現する。
【００３１】
図８は電圧電流合成器Ｕ１１の回路構成を示す。Ｕ８１は第１の分圧器、Ｕ８２は第２の分圧器、Ｕ８３は電圧合成器、を示す。第１分圧器Ｕ８１は太陽電池電圧Ｖｂを分圧して分圧電圧ＦＢｖを出力する、第２分圧器Ｕ８２は電流電圧変換器Ｕ４の出力電圧Ｖｉｏを分圧して分圧電圧ＦＢｊを出力する。電圧合成器Ｕ８３は前記第１分圧器出力ＦＢｖと前記第２分圧器出力ＦＢｉを合成して電圧電流合成電圧ＦＢｖｉを出力する、第３分圧器Ｕ８４は出力電圧Ｖｉｏを分圧して分圧電圧ＦＢｊを出力する。
【００３２】
図２において太陽電池の温度が上昇すると電池の開放電圧が低下し、照射光量が減少すると短絡電流が減少する傾向を一般的に有している。電圧電流合成器Ｕ６１はこの特性を利用して山型曲線と交差曲線を合成している。
【００３３】
図９は電圧電流合成器Ｕ６１の回路図を示す。第１の分圧器は抵抗体Z1とZ2で構成される。第２の分圧器Ｕ８２は抵抗体Ｚ３とＺ４、電圧合成器Ｕ８３は抵抗体Ｚ５とＺ６で、第３の分圧器Ｕ８４は抵抗体Ｚ７とＺ８で構成される。
キルヒホフの法則に準じて経路電流の方程式を設定する。
【００３４】
Ｉ１はＺ１とＺ２を流れる電流、Ｉ２はＺ３とＺ４を流れる電流、Ｉ３はＺ１とＺ５、Ｚ６、Ｚ４を流れる電流、Ｉ４はＺ３とＺ６、Ｚ５、Ｚ２を流れる電流、Ｉ５はＺ３とＺ６、Ｚ５、Ｚ１を流れる電流、Ｉ６はＺ７とＺ８を流れる電流、を示す。
ＦＢｖｉ＝Ｚ２ｘＺ５＋Ｚ５ｘ（Ｉ４＋Ｉ５−Ｉ３）
ＦＢｊ＝Ｉ６ｘＺ８
ＦＢｖｉとＦＢｊが最大電力点で等しくなるようにＺ１〜Ｚ８を調整する。Z1〜Z8は抵抗器、FET素子で構成することが可能で、集積化に向いていて例えば抵抗器を使用すれば温度係数や電圧係数は同一シリコン上では素子間の特性ばらつきは少ないので幅や長さの幾何学的寸法の相対値が電流電圧合成器の出力曲線の形状が決まる。しかも太陽電池の温度や照射光量による特性変動は出力電流の変換電圧Ｖｉｏに含まれるので別途に検出しなくともよい。
構成素子と電流経路が多いのでシミュレーションで調整した例が図７に示される。
【００３５】
図７の７３、７６、７５は図８のＦＢｖｉ、ＦＢｖ、ＦＢｊにそれぞれ対応する。ＦＢｊとＦＢｖは本発明図６において基準電圧調整器Ｕ６２に入力され図７の交点７９に常にとどまるよう制御され、特性曲線７３の頂点で動作し太陽電池の特性曲線７１の頂点で安定する。
【００３６】
図１０に基準電圧調整器Ｕ６２の回路例を示す。Ｕ９１は差動増幅器、Ｕ９２，Ｕ９３とＵ９４はインバーター、Ｐ９１はＰＭＯＳＦＥＴ、Ｎ９１はＮＭＯＳＦＥＴをそれぞれ示す。図１１は図１０の基準電圧調整器Ｕ６２の動作波形を示す。
【００３７】
図１１において１０１はインバーターＵ９２の出力、１０２はインバーターＵ９４、１０３はＶＲＥＦ、１０４はＦＢｖ、１０４はＦＢｉの波形をそれぞれ示す。入力１０４ＦＢｖが入力１０５ＦＢｊよりも大きい時はＮＭＯＳＦＥＴ  Ｎ９１がオン状態になり１０３ＶＲＥＦを低下させる。
【００３８】
入力１０４  ＦＢｖが入力１０５  ＦＢｉと等しいかあらかじめ決められた範囲に接近したときはＮＭＯＳＦＥＴ  Ｎ９１とＰＭＯＳＦＥＴがオフ状態になり１０３ＶＲＥＦは一定の状態を維持する。入力１０４  ＦＢｖが入力１０５  ＦＢｊよりも小さいときはときはＰＭＯＳＦＥＴ  Ｐ９１がオン状態になり１０３  ＶＲＥＦを上昇させる。１０４  ＦＢｖと１０５  ＦＢｉの交点付近に常時安定するように制御して、ＤＣＤＣ変換器Ｕ５が太陽電池の最大電力点で常時直流的に動作する。
【００３９】
本発明の1形態によれば、太陽電池の出力電流と出力電圧にはもともと温度と光量の情報が含まれていて、それらを受動抵抗器で相似な曲線を合成するのでわざわざ温度センサー等を用いて帰還制御しなくとも温度と照射光量の情報を取り出すことができる。
【００４０】
しかも直流帰還を掛けることができるのでＤＣＤＣ変換機の種類を選ばずに図３の昇圧ＤＣＤＣ変換器はもとより、図４の降圧ＤＣＤＣ変換器、図５の直列レギュレータにも適用可能である。
【図面の簡単な説明】
【００４１】
【図１】従来の充電装置の一例を示すブロック図である。
【図２】太陽電池の日照変化、温度変化時の特性曲線を示す。
【図３】昇圧ＤＣＤＣ変換器の回路例を示す。
【図４】降圧ＤＣＤＣ変換器の回路例を示す。
【図５】直列ＤＣＤＣ変換器の回路例を示す。
【図６】本発明の第1の実施、充電装置を示すブロック図である。
【図７】本発明の太陽電池Ｕ２と電圧電流合成器Ｕ１１の動作点シミュレーション結果を示すグラフである。
【図８】電圧電流合成器Ｕ１１の構成図を示す。
【図９】電圧電流合成器Ｕ１１の回路図を示す。
【図１０】基準電圧調整器Ｕ１２の回路例を示す。
【図１１】基準電圧調整器Ｕ１２の動作波形を示す。
【符号の説明】
【００４２】
Ｖｂ，Ｖｇ：  入力端子
Ｖｃｇ：出力端子
Ｕ１：  ２次電池
Ｕ２：  太陽電池
Ｕ３：  Ｄ／Ａ変換器
Ｕ４：  電流電圧変換器
Ｕ５：  ＤＣＤＣ変換器
Ｕ６：  温度検出器
Ｕ７，Ｕ８，Ｕ９：  Ａ／Ｄ変換器
Ｕ１０：  最大電力追尾制御器
Ｕ６１：  電圧電流合成器
Ｕ６２：  基準電圧調整器
Ｎ１２：  温度センサー
Ｚ１〜Ｚ８：抵抗体
【図１】
2011100348.tif 000003
【図２】
2011100348.tif 000004
【図３】
2011100348.tif 000005
【図４】
2011100348.tif 000006
【図５】
2011100348.tif 000007
【図６】
2011100348.tif 000008
【図７】
2011100348.tif 000009
【図８】
2011100348.tif 000010
【図９】
2011100348.tif 000011
【図１０】
2011100348.tif 000012
【図１１】
2011100348.tif 000013